(57)【要約】      （修正有）【課題】極めて簡単な構造で口や鼻にマスクが密着しないので息苦しくなく衛生的であり、しかも極めて容易に製造することができるマスクを提供する。【解決手段】上下方向（矢印ａ方向）に両側部１６，１６が固着された複数の折り畳み部１７，１７，１７を有するマスク本体１１の前記折り畳み部を扇状に広げた状態で横方向（矢印ｂ方向）に二つ折りした中央折り目部２１に形状保持部２２を形成した。前記形状保持部２２が縫合部２３あるいは溶着部によって形成されている場合がある。また、前記マスク本体１１が複数の布状部材を重ねた重合体よりなり、その少なくとも内面側がガーゼである場合がある。【選択図】図１
0003131051.tif 000002
【実用新案登録請求の範囲】
【請求項１】
上下方向に両側部が固着された複数の折り畳み部を有するマスク本体の前記折り畳み部を扇状に広げた状態で横方向に二つ折りした中央折り目部に形状保持部を形成したマスク。
【請求項２】
前記形状保持部が縫合部あるいは溶着部によって形成されている請求項１に記載のマスク。
【請求項３】
前記マスク本体が複数の布状部材を重ねた重合体よりなり、その少なくとも内面側がガーゼである請求項１又は２に記載のマスク。
【考案の詳細な説明】
【技術分野】
【０００１】
この考案は、マスクに関し、特には横方向に二つ折りした中央折り目部に形状保持部を形成したマスクに関する。
【背景技術】
【０００２】
従来、マスクは冬の寒気を遮断したり、病原菌であるウイルスの感染及び埃やアレルゲンとなる花粉が体内へ侵入したりするのを防ぐのに用いられている。このようなマスクとして、長方形状のガーゼが複数枚重ね合わされてマスク本体が形成されたものがよく知られている。しかしながら、マスク本体が平面状であるため、前記本体と口や鼻が密着して息苦しく、さらに話をしたりして口を動かす度にマスクの位置がずれたりすることがあった。
【０００３】
そこで、マスク本体を横方向に複数折りたたんでその両側縁を縫合し、前記マスク本体の上端近傍の横方向に帯状保型片を固定すると共に、前記本体中央部の横方向に少なくとも１つの第２帯状保型片が装着されたマスクがある（例えば、特許文献１参照）。このマスクは、折りたたんだマスク本体を縦方向に広げて、顔面の口の辺りに位置する第２帯状保型片を適宜湾曲させることで、マスク装着者の鼻及び口との間に空間を生じさせることができるものである。
【０００４】
また、顔表面の凹凸に合うように形成した立体マスクもある（例えば、特許文献２参照）。この立体マスクのマスク本体は、左右一対のシートからなり、前記シートの左右端部は、一方の端部が外側へ弧状に形成され、他方の端部は帯部が形成され、一方のシートの弧状に形成した端部と、他方のシートの弧状に形成した端部とを接合して、カップ状に形成されている。立体的に成形されているため、鼻や口との間に空間が確保できて圧迫感が生じにくく呼吸がしやすい。
【０００５】
しかしながら、前述のような帯状保型片を有するマスクにおいて、帯状保型片を適度に湾曲させたりしてマスクの形を立体的に整えるだけでは、口の動きや呼吸によりその形状が変形しやすく、マスク本体が口に接触して唾液や口紅が付着して汚れることが多い。また、立体的に形成されたマスクは、口や鼻との間に空間ができやすいが、マスク本体を立体的に一体成形するための設備が必要で、製造工程が煩雑でコストが高くなる。
【特許文献１】実開平６−５８９１９号公報
【特許文献２】特開２００６−４３２２７号公報
【考案の開示】
【考案が解決しようとする課題】
【０００６】
本考案は前記の点に鑑みなされたものであり、極めて簡単な構造で口や鼻にマスクが密着しないので息苦しくなく衛生的であり、しかも容易に製造することができるマスクを提供するものである。
【課題を解決するための手段】
【０００７】
すなわち、請求項１の考案は、上下方向に両側部が固着された複数の折り畳み部を有するマスク本体の前記折り畳み部を扇状に広げた状態で横方向に二つ折りした中央折り目部に形状保持部を形成したマスクに係る。
【０００８】
また、請求項２の考案は、前記形状保持部が縫合部あるいは溶着部によって形成されている請求項１に記載のマスクに係る。
【０００９】
請求項３の考案は、前記マスク本体が複数の布状部材を重ねた重合体よりなり、その少なくとも内面側がガーゼである請求項１又は２に記載のマスク。
【考案の効果】
【００１０】
請求項１の考案に係るマスクによれば、上下方向に両側部が固着された複数の折り畳み部を有するマスク本体の前記折り畳み部を扇状に広げた状態で横方向に二つ折りした中央折り目部に形状保持部を形成したため、マスクを立体的に広げやすく、装着したときに形が崩れにくい。そのため、口や鼻にマスクが密着せず呼吸がしやすい。
【００１１】
請求項２の考案によれば、請求項１において、前記形状保持部が縫合部あるいは溶着部によって形成されているため、極めて容易に製造することができる。
【００１２】
請求項３の考案によれば、請求項１又は２において、前記マスク本体が複数の布状部材を重ねた重合体よりなり、その少なくとも内面側がガーゼであるため、マスクを装着したときの肌触りがよい。
【考案を実施するための最良の形態】
【００１３】
以下添付の図面に従ってこの考案を詳細に説明する。図１はこの考案のマスクの第一実施例を示す概略正面図、図２は図１の２−２線で切断した状態を模式的に表した拡大断面図、図３は図１の３−３線で切断した要部の断面模式図、図４は図１の折り畳み部を広げた状態を示す概略正面図、図５は図４を横方向に二つ折りした状態を示す概略正面図、図６はこの考案の第二実施例を示す概略正面図、図７は図６の７−７線で切断した要部の断面模式図である。
【００１４】
図１に示すように、この考案の第一実施例に係るマスク１０は、上下方向（矢印ａ方向）に両側部１６，１６が固着された複数の折り畳み部１７，１７，１７を有するマスク本体１１の前記折り畳み部１７，１７，１７を扇状に広げた状態で横方向（矢印ｂ方向）に二つ折りした中央折り目部２１に形状保持部２２を形成したものである。なお、図１の実施例において、折り畳み部１７，１７，１７を畳んだ状態でマスク本体１１は長方形状であり、上下方向（矢印ａ方向）の長さは約１０ｃｍ程度、横方向（矢印ｂ方向）の長さは約１２〜１８ｃｍ程度である。図１の実施例において、符号２５は耳掛け部であり、ゴム、不織布等の公知の弾性部材よりなる。また、マスク上端部と鼻との密着性を高めるために、変形自在な金属製の弾性部材２６が備えられている。
【００１５】
マスク本体１１は、セルロース、綿、レーヨン、ポリエステル、ポリプロピレン、ナイロン等からなる不織布、織布あるいはガーゼなどよりなる布状部材から形成される。マスク本体１１を構成する布状部材は、その目的に応じて適宜選択され、単一の布状部材から構成されてもよいし、材質の異なる布状部材を重ね合わせて図２のような重合体１３から構成されてもよい。
【００１６】
特に、図２から理解されるこの実施例のマスク本体１１は、請求項３の考案として規定するように、複数の布状部材１２ａ，１２ｂ，１２ｃを重ねた重合体１３よりなり、その少なくとも内面側１４がガーゼであることが好ましい。顔面に直接触れるマスク１０の内面側１４がガーゼであると、肌触りがよく吸湿性が高いので使い心地がよい。なお、マスク本体１１である重合体１３を構成する布状部材として、例えば、外面側の布状部材１２ａは通気性を良くするために目付の比較的粗い不織布、外面側１５及び内面側１４の間に位置する布状部材１２ｂはフィルターの機能を有するより細かい目付の不織布等とされる。なお、図２の実施例では３枚の布状部材１２ａ，１２ｂ，１２ｃよりなる重合体１３によってマスク本体１１が構成されているが、２枚あるいは４枚以上の布状部材が重ね合わされてマスク本体が形成されていてもよい。
【００１７】
折り畳み部１７，１７，１７は、図１及び図３に示されるように、マスク本体１１に複数形成される。前記折り畳み部の折り畳み方やその大きさは特に限定されず、全て同じ大きさに構成されても良いし、顔面の凹凸に対応させて折り畳み部の大きさを適宜部分的に変化させたり、あるいは多数の細かい折り畳み部が形成されるなどしてもよい。第一実施例のマスク１０においては、図３から理解されるように、折り畳み部１７，１７，１７は、山折り部Ｌ１及び谷折り部Ｌ２が交互に繰り返されて形成され、折り畳み部１７，１７，１７を広げると、装着したときに口や鼻とマスク１０との間に適宜の空間が作出される。
【００１８】
前記折り畳み部１７，１７，１７は、上下方向（図１の矢印ａ方向）に両側部１６，１６が固着されている。固着方法は特に限られないが、超音波や熱による溶着、縫合あるいは接着剤を塗布すること等により固着されてもよい。実施例では図２のように、マスク本体１１の両側部１６，１６が接合布１８，１８によって被覆されるようにして超音波溶着で固着されている。前記両側部１６，１６が固着されているので、折り畳み部１７，１７，１７を広げたときに、マスク１０は前方に突出するような立体的な形状となる。
【００１９】
形状保持部２２は、図４及び図５に示すように、前記折り畳み部１７，１７，１７を扇状に広げた状態で、横方向（図４の矢印ｂ方向）に二つ折りした中央折り目部２１（図５参照）に形成される。形状保持部２２は折り畳み部１７，１７，１７に対してほぼ垂直方向に形成されるため、マスクを図４のように広げ易くなる。さらに、従来の折り畳み部のみを有するマスクでは、折り畳み部を広げてマスクを装着したときに、呼吸や口の動きに応じて、折り畳み部が自然に閉じてきたり、その形状が変形してしまうことが多かったが、前記形状保持部２２により、広げた折り畳み部１７，１７，１７が自然に閉じてしまうのを防止して、マスクを広げた状態が保持されやすくなる。形状保持部２２は、マスクを広げやすく、またその形状を保持しやすいように、中央折り目部２１に沿ってマスク１０の上下方向（矢印ａ方向）に適宜の長さ及び幅で形成される。
【００２０】
また、前記形状保持部２２は次のように形成される。まず、マスク本体１１の折り畳み部１７，１７，１７が畳まれた状態（図１参照）から、折り畳み部１７，１７，１７を広げる。折り畳み部１７，１７，１７の両側部１６，１６は固着されているので、図４のようにマスク本体１１の中心部が大きく開いて、略側面視で扇状に広げた状態になっている。そして、折り畳み部１７，１７，１７が扇状に広げられた状態で、図４のマスク本体１１の横方向（矢印ｂ方向）へ二つ折りして（図５参照）、マスク本体１１を二つに折り曲げて形成された中央折り目部２１に形状保持部２２が形成される。
【００２１】
前記形状保持部２２は、請求項２の考案として規定するように、中央折り目部２１に綿糸、合成繊維等によって縫い合わされた縫合部２３（図１、図４及び図５参照）あるいは熱や超音波による溶着部が形成されていることが好ましく、その他接着剤によって貼り合わせる等、従来の手法により極めて簡単に形成することができる。このように、この考案のマスク１０は、形状保持部２２が形成されることで、マスクの立体形状を保持するための金属、プラスチック等よりなる他の部材を必要とすることなく極めて容易に作製することができる。この実施例では図示の如く、形状保持部２２は、マスク本体１１の上端部あたりから下端部まで中央折り目部２１から約２〜５ｍｍ程度内側を綿糸により縫製した縫合部２３により形成されている。
【００２２】
次に、図６及び図７に示されるこの考案の第二実施例に係るマスク１０Ａについて説明する。なお、第二実施例のマスク１０Ａにおいて、第一実施例と同一符号であるものは同一の構成を表すものとして、その説明を省略する。第二実施例のマスク１０Ａでは図７から理解されるように、折り畳み部１９，１９は、まず谷折り部Ｌ２が形成されて、山折り部Ｌ１，Ｌ１が連続して構成された後に、谷折り部Ｌ２が形成される。このような折り畳み部１９，１９が形成されることで、マスク１０Ａはさらに広げやすくなる。また、マスク１０Ａを広げて装着したときの鼻及び口と該マスク１０Ａとの間により大きな空間を作出することができる。そのため、マスクを装着したときの圧迫感が軽減されて呼吸がしやすくなる。
【００２３】
この考案のマスクの使用方法を第一実施例のマスク１０を用いて説明すると、上述したように、装着する際には図４に示されるように、折り畳み部１７，１７，１７を広げて前方に突出するような立体的な形状とされる。そのため、マスク１０と口や鼻との間に適度な空間ができ、呼吸がしやすい。また、形状保持部２２が形成されているのでマスク１０を広げた状態が維持されやすく、口がマスク本体に密着しないので非常に衛生的である。
【００２４】
マスクを携帯する場合などは、図１のように折り畳み部１７，１７，１７を折り畳んでマスク本体１１を平面状にすればよく、収納時にも場所を取らない。さらに、上述のように形成された形状保持部２２は、マスクの使用時、収納時及び携帯時等に邪魔にならず、外観上も違和感を感じることがほとんどない。加えて、このマスクは従来公知の製造方法を利用することができると共に、折り畳み部を有する既知のマスクに形状保持部が形成されても構わないので、極めて簡単に製造することができる。なお、この考案のマスクは、前述の実施例のみに限定されるものではなく、折り畳み部の折り畳み方やその大きさを適宜変更するなど、この考案の趣旨を逸脱しない範囲において、構成の一部を適宜に変更して実施することができる。
【図面の簡単な説明】
【００２５】
【図１】この考案のマスクの第一実施例を示す概略正面図である。
【図２】図１の２−２線で切断した状態を模式的に表した拡大断面図である。
【図３】図１の３−３線で切断した要部の断面模式図である。
【図４】図１の折り畳み部を広げた状態を示す概略正面図である。
【図５】図４を横方向に二つ折りした状態を示す概略正面図である。
【図６】この考案の第二実施例を示す概略正面図である。
【図７】図６の７−７線で切断した要部の断面模式図である。
【符号の説明】
【００２６】
１０，１０Ａ  マスク
１１  マスク本体
１２ａ，１２ｂ，１２ｃ  布状部材
１３  重合体
１４  内面側
１６  側部
１７，１９  折り畳み部
２１  中央折り目部
２２  形状保持部
２３  縫合部
【図１】
0003131051.tif 000003
【図２】
0003131051.tif 000004
【図３】
0003131051.tif 000005
【図４】
0003131051.tif 000006
【図５】
0003131051.tif 000007
【図６】
0003131051.tif 000008
【図７】
0003131051.tif 000009